(57)【特許請求の範囲】
【請求項１】
複数のサブネットワークを有し、該サブネットワーク毎にＩＰネットワークと接続するためのゲートウェイ装置が設けられた移動通信ネットワークにおける呼接続確立方法であって、
前記ＩＰネットワークを経由して、前記移動通信ネットワークの移動通信端末に呼接続を要求する通信端末に対し、
この発呼元通信端末から最初に接続要求を受けたゲートウェイ装置が、要求された呼接続を確立せずに、発呼先移動通信端末が在圏するサブネットワークに設けられたゲートウェイ装置を示すゲートウェイ識別子を送信し、
前記サブネットワークは、該サブネットワークをホーム・ネットワークとする移動通信端末の位置登録情報を管理し、
前記発呼元通信端末は、最初に、発呼先移動通信端末のホーム・ネットワークに設けられたゲートウェイ装置に接続要求し、
前記最初のゲートウェイ装置は、前記位置登録情報に基づいて、前記発呼元通信端末に、前記在圏ゲートウェイ装置を示すゲートウェイ識別子を送信し、
前記発呼元通信端末は、接続要求先を、前記最初のゲートウェイ装置から前記伝達された在圏ゲートウェイ装置に切り替える、ことを特徴とする呼接続確立方法。
【請求項２】
複数のサブネットワークと、該サブネットワーク毎に設けられた、ＩＰネットワークと接続するためのゲートウェイ装置とを含む通信ネットワークを有する移動通信システムであって、
前記ゲートウェイ装置は、
前記ＩＰネットワークを経由して、前記移動通信システムと通信する移動通信端末に呼接続を要求する通信端末が存在する場合に、その発呼先移動通信端末が在圏するサブネットワークに設けられたゲートウェイ装置を示すゲートウェイ識別子を取得する取得手段と、
要求された呼接続を確立せずに、前記取得手段によって取得された前記ゲートウェイ識別子を前記発呼元通信端末に送信する送信手段とを有し、
前記サブネットワークは、該サブネットワークをホーム・ネットワークとする移動通信端末の位置登録情報を管理する加入者データ管理部を具備し、
前記発呼元通信端末は、最初に、発呼先移動通信端末のホーム・ネットワークに設けられたゲートウェイ装置に接続要求し、
前記取得手段は、前記加入者データ管理部から、前記発呼先移動通信端末が在圏するサブネットワークに設けられたゲートウェイ装置を示すゲートウェイ識別子を取得し、
前記発呼元通信端末は、接続要求先の一ゲートウェイ装置から他のゲートウェイ装置を示すゲートウェイ識別子を受信した場合に、接続要求先を、前記一ゲートウェイ装置から前記他のゲートウェイ装置に切り替える切替手段を有する、ことを特徴とする移動通信システム。
【請求項３】
請求項２記載の移動通信システムであって、
前記ゲートウェイ装置は、前記発呼先移動通信端末が自ゲートウェイ装置下のサブネットワークに在圏しない場合、前記在圏ゲートウェイ装置を示すゲートウェイ識別子と、該在圏ゲートウェイ装置に接続要求先を切り替えることを指示する切替通知とを前記発呼元通信端末に送信し、
前記切替手段は、接続要求先のゲートウェイ装置から前記切替通知を受信した場合、前記ゲートウェイ識別子の示すゲートウェイ装置に新たに接続要求する、ことを特徴とする移動通信システム。
【請求項４】
複数のサブネットワークを有する移動通信ネットワークに、該サブネットワーク毎に設けられた、ＩＰネットワークと接続するためのゲートウェイ装置であって、
前記ＩＰネットワークを経由して、前記移動通信ネットワークの移動通信端末に呼接続を要求する通信端末が存在する場合に、その発呼先移動通信端末が在圏するサブネットワークに設けられたゲートウェイ装置を示すゲートウェイ識別子を取得する取得手段と、
要求された呼接続を確立せずに、前記取得手段によって取得された前記ゲートウェイ識別子を前記発呼元通信端末に送信する送信手段とを有し、
前記サブネットワークは、該サブネットワークをホーム・ネットワークとする移動通信端末の位置登録情報を管理する加入者データ管理部を具備し、
前記発呼元通信端末は、最初に、発呼先移動通信端末のホーム・ネットワークに設けられたゲートウェイ装置に接続要求し、
前記発呼先移動通信端末が自ゲートウェイ装置下のサブネットワークに在圏しない場合、
前記取得手段は、前記加入者データ管理部から、前記発呼先移動通信端末が在圏するサブネットワークに設けられたゲートウェイ装置を示すゲートウェイ識別子を取得し、
前記送信手段は、前記ゲートウェイ識別子を受信した前記発呼元通信端末が、該ゲートウェイ識別子の示すゲートウェイ装置に新たに接続要求するための切替通知を、前記ゲートウェイ識別子と共に送信する、ことを特徴とするゲートウェイ装置。
【請求項５】
複数のサブネットワークを有し、該サブネットワーク毎に、ＩＰネットワークと接続するためのゲートウェイ装置と、該サブネットワークをホーム・ネットワークとする移動通信端末の位置登録情報を管理する加入者データ管理部とが設けられた移動通信ネットワークの移動通信端末と、前記ＩＰネットワークを経由して通信する通信端末装置であって、
前記移動通信端末に発呼する場合に、最初に、該移動通信端末のホーム・ネットワークに設けられたゲートウェイ装置に接続要求する接続要求手段と、
前記接続要求に対して、該接続要求先ゲートウェイ装置から他のゲートウェイ装置を示すゲートウェイ識別子を受信した場合に、該他のゲートウェイ装置に新たに接続要求する接続要求先切替手段とを有する、ことを特徴とする通信端末装置。
【発明の詳細な説明】
【０００１】
【発明の属する技術分野】
本発明は、主に、複数のサブネットワークを有し、サブネットワーク毎に、ＩＰ（Ｉｎｔｅｒｎｅｔ  Ｐｒｏｔｏｃｏｌ）ネットワークと接続するためのゲートウェイ装置が設けられた移動通信システム及びその呼接続確立方法に係り、特に、システム外の通信端末から、ＩＰネットワークを経由して、移動通信端末への接続要求を受けたゲートウェイ装置が、その発呼先移動通信端末が在圏するサブネットワークに設けられたゲートウェイ装置のＩＰアドレスを該接続要求元通信端末へ送信する移動通信システム及びその呼接続確立方法に関する。
【０００２】
【従来の技術】
従来、例えばインターネットに代表されるＩＰネットワークと接続された移動通信システムにおいて、ＩＰネットワークを経由した音声通話やデータの送受信が行われている。
【０００３】
移動通信システムは、通常、互いに接続された複数のＩＰサブネットを有する。ＩＰサブネットは、例えば、東京、大阪などの地域毎に設けられる。
【０００４】
各ＩＰサブネットは、そのＩＰサブネットをホーム・ネットワークとする移動通信機の移動及び現在位置を管理するＨＬＲ（Ｈｏｍｅ  Ｌｏｃａｔｉｏｎ  Ｒｅｇｉｓｔｅｒ）装置を有する。各移動機は、ＩＰサブネットを越えて移動した場合、現在位置をホーム・ネットワークのＨＬＲ装置に報告する。よって、ＨＬＲ装置には、管理する移動機の現在位置情報が常に格納されている。
【０００５】
移動機のホーム・ネットワークは任意に決めることができる。実用レベルでは、例えば移動通信端末装置の購入地及び／若しくは購入者の住所地を含むエリアを有するＩＰサブネットがその移動機のホーム・ネットワークとなる。
【０００６】
このような従来の移動通信ネットワークにおいて、システム外の通信端末が、ＩＰネットワークを経由して、該ネットワーク内の移動機に発呼する場合、まず発呼先である移動機のホーム・ネットワークに設けられたゲートウェイに接続要求を行う。移動機のホーム・ネットワークは、例えば電話番号により識別される。
【０００７】
接続要求を受けたゲートウェイは、ＨＬＲに格納された発呼先移動機の現在位置に基づいて、該発呼先移動機に着信を知らせ、接続を確立させる。
【０００８】
【発明が解決しようとする課題】
このような従来の移動通信システムは、移動機がそのホーム・ネットワークに在圏している確率が高いという判断の下、ＩＰネットワークを経由する発呼については、発呼元及び発呼先の現在位置にかかわらず、最初に発呼先移動機のホーム・ネットワークに接続要求を行う。そして、発呼先移動機が別のＩＰサブネットに在圏することがＨＬＲを参照して判明した場合、上記発呼は、ホーム・ネットワークから該在圏ＩＰサブネットへルーティングされることになる。
【０００９】
したがって、例えば、移動通信システムに「東京サブネット」と「大阪サブネット」とが設けられているとすると、大阪サブネット内に在圏する移動若しくは固定端末Ｂが、東京サブネットをホーム・ネットワークとする移動機Ａに発呼する場合、移動機Ａが大阪サブネット内に在圏していると、端末Ａ及びＢはいずれも同一地域内に位置するにもかかわらず、端末Ｂからの発呼は、東京〜大阪間を往復した上で移動機Ａに到達することになる。
【００１０】
このような冗長なルーティングが行われると、音声通話であれば音質が劣化し、又、ネットワーク全体のリソース利用効率を低下させることになる。
【００１１】
本発明はこのような課題を解決するために為されたものであり、冗長なルーティングの発生を除去し、ネットワーク・リソースの利用効率を向上させる移動通信システム及びその呼接続確立方法を提供することを目的とする。
【００１２】
なお、この課題を解決するために、ＩＰネットワークを経由したシステム外の端末（上記例では、端末Ｂ）からの発呼は、発呼先移動通信システムのゲートウェイのうち、該発呼元端末に最も近いゲートウェイ（上記例では、大阪サブネットのゲートウェイ）に送られるようにすると、確かに発呼元端末から移動通信システムまでのルーティングは短くなるものの、該ゲートウェイは、そのＩＰサブネットをホーム・ネットワークとする移動機の現在位置しか把握しておらず、又、発呼先の移動機のホーム・ネットワークがいずれのサブネットであるかも不明であるため、該移動通信システムの残りの全ＩＰサブネットに発呼先移動機の現在位置について問い合わせなければ発呼先に着信を伝達できないという新たな問題を生ずる。
【００１３】
又、ＩＥＴＦ（Ｉｎｔｅｒｎｅｔ  Ｅｎｇｉｎｅｅｒｉｎｇ  Ｔａｓｋ  Ｆｏｒｃｅ）標準プロトコルであるＳＩＰ（Ｓｅｓｓｉｏｎ  ＩｎｉｔｉａｔｉｏｎＰｒｏｔｏｃｏｌ）は、予め登録された所定の規則に従って接続先を切り替える「Ｒｅｄｉｒｅｃｔ  Ｍｏｄｅ」という技術を有している。この技術は、確かに、発呼先端末がシステム内のどこに位置しようとも、上記所定の規則に従って接続を確立するものであるが、端末単位での切り替えを行うものであって、前述の冗長なルーティング発生の可能性を除去するものではなく、リソース利用効率の向上は図れない。
【００１４】
更に、特開平１１−３５５２８１号公報には、一のサブネットへの移動機の位置登録を他のサブネットへ通知する制御方法が開示されている。この方法は、発呼先の移動機が在圏するサブネットのゲートウェイが、該移動機のホーム・ネットワークのゲートウェイにルーティングの宛先として該在圏情報を伝達するものであって、前述の冗長なルーティング発生の可能性を除去するものではなく、リソース利用効率の向上は図れない。
【００１５】
【課題を解決するための手段】
本発明の請求項１に係る呼接続確立方法は、複数のサブネットワークを有し、該サブネットワーク毎にＩＰネットワークと接続するためのゲートウェイ装置が設けられた移動通信ネットワークにおける呼接続確立方法であって、前記ＩＰネットワークを経由して、前記移動通信ネットワークの移動通信端末に呼接続を要求する通信端末に対し、この発呼元通信端末から最初に接続要求を受けたゲートウェイ装置が、要求された呼接続を確立せずに、発呼先移動通信端末が在圏するサブネットワークに設けられたゲートウェイ装置を示すゲートウェイ識別子を送信し、前記サブネットワークは、該サブネットワークをホーム・ネットワークとする移動通信端末の位置登録情報を管理し、前記発呼元通信端末は、最初に、発呼先移動通信端末のホーム・ネットワークに設けられたゲートウェイ装置に接続要求し、前記最初のゲートウェイ装置は、前記位置登録情報に基づいて、前記発呼元通信端末に、前記在圏ゲートウェイ装置を示すゲートウェイ識別子を送信し、前記発呼元通信端末は、接続要求先を、前記最初のゲートウェイ装置から前記伝達された在圏ゲートウェイ装置に切り替える、方法を採る。
【００１６】
この方法において、サブネットワークは、例えば東京、大阪といった地域毎に設けられた、移動通信システムのＩＰサブネットであり、発呼元通信端末から最初に接続要求を受けるゲートウェイ装置は、例えば発呼先移動通信端末がホーム・ネットワークとするサブネットワークに設けられたゲートウェイ装置であり、ゲートウェイ識別子とは、例えばＩＰアドレスやＤＮＳ（Ｄｏｍａｉｎ  Ｎａｍｅ  Ｓｙｓｔｅｍ）の名前など、ＩＰネットワーク上でゲートウェイ装置を識別するための識別情報である。
【００１９】
この方法によれば、システム外の通信端末から接続要求を受けた、該発呼先の移動通信端末のホーム・ネットワークに設けられたゲートウェイ装置は、該発呼元通信端末と接続を確立せず、代わりに該発呼先移動通信端末が在圏するサブネットワークに設けられたゲートウェイ装置の識別子を該発呼元通信端末に送信するため、該発呼元通信端末は、接続要求先を切り替えることによって、発呼先位相通信端末の現在位置に最も近いゲートウェイ装置に接続要求を改めて直接送ることができる。
【００２０】
本発明の請求項２に係る移動通信システムは、複数のサブネットワークと、該サブネットワーク毎に設けられた、ＩＰネットワークと接続するためのゲートウェイ装置とを含む通信ネットワークを有する移動通信システムであって、前記ゲートウェイ装置は、前記ＩＰネットワークを経由して、前記移動通信システムと通信する移動通信端末に呼接続を要求する通信端末が存在する場合に、その発呼先移動通信端末が在圏するサブネットワークに設けられたゲートウェイ装置を示すゲートウェイ識別子を取得する取得手段と、要求された呼接続を確立せずに、前記取得手段によって取得された前記ゲートウェイ識別子を前記発呼元通信端末に送信する送信手段とを有し、前記サブネットワークは、該サブネットワークをホーム・ネットワークとする移動通信端末の位置登録情報を管理する加入者データ管理部を具備し、前記発呼元通信端末は、最初に、発呼先移動通信端末のホーム・ネットワークに設けられたゲートウェイ装置に接続要求し、前記取得手段は、前記加入者データ管理部から、前記発呼先移動通信端末が在圏するサブネットワークに設けられたゲートウェイ装置を示すゲートウェイ識別子を取得し、前記発呼元通信端末は、接続要求先の一ゲートウェイ装置から他のゲートウェイ装置を示すゲートウェイ識別子を受信した場合に、接続要求先を、前記一ゲートウェイ装置から前記他のゲートウェイ装置に切り替える切替手段を有する、構成を採る。
【００２１】
この構成において、サブネットワークは、例えば東京、大阪といった地域毎に設けられた、移動通信システムのＩＰサブネットであり、発呼元通信端末から最初に接続要求を受けるゲートウェイ装置は、例えば発呼先移動通信端末がホーム・ネットワークとするサブネットワークに設けられたゲートウェイ装置であり、ゲートウェイ識別子とは、例えばＩＰアドレスやＤＮＳの名前など、ＩＰネットワーク上でゲートウェイ装置を識別するための識別情報である。
【００２４】
この構成によれば、システム外の通信端末から接続要求を受けた、該発呼先の移動通信端末のホーム・ネットワークに設けられたゲートウェイ装置は、該発呼元通信端末と接続を確立せず、代わりに該発呼先移動通信端末が在圏するサブネットワークに設けられたゲートウェイ装置の識別子を該発呼元通信端末に送信するため、該発呼元通信端末は、接続要求先を切り替えることによって、発呼先位相通信端末の現在位置に最も近いゲートウェイ装置に接続要求を改めて直接送ることができる。
【００２５】
本発明の請求項３に係る移動通信システムは、請求項２に係る移動通信システムにおいて、前記ゲートウェイ装置は、前記発呼先移動通信端末が自ゲートウェイ装置下のサブネットワークに在圏しない場合、前記在圏ゲートウェイ装置を示すゲートウェイ識別子と、該在圏ゲートウェイ装置に接続要求先を切り替えることを指示する切替通知とを前記発呼元通信端末に送信し、前記切替手段は、接続要求先のゲートウェイ装置から前記切替通知を受信した場合、前記ゲートウェイ識別子の示すゲートウェイ装置に新たに接続要求する構成を採る。
【００２６】
この構成によれば、発呼元であるシステム外の通信端末は、発呼後、切替通知を受信した場合、該切替通知に従って接続要求先を切り替えることによって、発呼先位相通信端末の現在位置に最も近いゲートウェイ装置に接続要求を改めて直接送ることができる。
【００２７】
本発明の請求項４に係るゲートウェイ装置は、複数のサブネットワークを有する移動通信ネットワークに、該サブネットワーク毎に設けられた、ＩＰネットワークと接続するためのゲートウェイ装置であって、前記ＩＰネットワークを経由して、前記移動通信ネットワークの移動通信端末に呼接続を要求する通信端末が存在する場合に、その発呼先移動通信端末が在圏するサブネットワークに設けられたゲートウェイ装置を示すゲートウェイ識別子を取得する取得手段と、要求された呼接続を確立せずに、前記取得手段によって取得された前記ゲートウェイ識別子を前記発呼元通信端末に送信する送信手段とを有し、前記サブネットワークは、該サブネットワークをホーム・ネットワークとする移動通信端末の位置登録情報を管理する加入者データ管理部を具備し、前記発呼元通信端末は、最初に、発呼先移動通信端末のホーム・ネットワークに設けられたゲートウェイ装置に接続要求し、前記発呼先移動通信端末が自ゲートウェイ装置下のサブネットワークに在圏しない場合、前記取得手段は、前記加入者データ管理部から、前記発呼先移動通信端末が在圏するサブネットワークに設けられたゲートウェイ装置を示すゲートウェイ識別子を取得し、前記送信手段は、前記ゲートウェイ識別子を受信した前記発呼元通信端末が、該ゲートウェイ識別子の示すゲートウェイ装置に新たに接続要求するための切替通知を、前記ゲートウェイ識別子と共に送信する、構成を採る。
【００２８】
この構成において、サブネットワークは、例えば東京、大阪といった地域毎に設けられた、移動通信システムのＩＰサブネットであり、発呼元通信端末から最初に接続要求を受けるゲートウェイ装置は、例えば発呼先移動通信端末がホーム・ネットワークとするサブネットワークに設けられたゲートウェイ装置であり、ゲートウェイ識別子とは、例えばＩＰアドレスやＤＮＳの名前など、ＩＰネットワーク上でゲートウェイ装置を識別するための識別情報である。
【００３１】
この構成によれば、システム外の通信端末から接続要求を受けた場合、該発呼先の移動通信端末のホーム・ネットワークに設けられたゲートウェイ装置は、該発呼元通信端末と接続を確立せず、代わりに該発呼先移動通信端末が在圏するサブネットワークに設けられたゲートウェイ装置の識別子を該発呼元通信端末に送信するため、該発呼元通信端末に、切替通知に従って接続要求先を切り替えさせ、発呼先位相通信端末の現在位置に最も近いゲートウェイ装置に接続要求を改めて直接送らせることができる。
【００３２】
本発明の請求項５に係る通信端末装置は、複数のサブネットワークを有し、該サブネットワーク毎に、ＩＰネットワークと接続するためのゲートウェイ装置と、該サブネットワークをホーム・ネットワークとする移動通信端末の位置登録情報を管理する加入者データ管理部とが設けられた移動通信ネットワークの移動通信端末と、前記ＩＰネットワークを経由して通信する通信端末装置であって、前記移動通信端末に発呼する場合に、最初に、該移動通信端末のホーム・ネットワークに設けられたゲートウェイ装置に接続要求する接続要求手段と、前記接続要求に対して、該接続要求先ゲートウェイ装置から他のゲートウェイ装置を示すゲートウェイ識別子を受信した場合に、該他のゲートウェイ装置に新たに接続要求する接続要求先切替手段とを有する構成を採る。
【００３３】
この構成において、サブネットワークは、例えば東京、大阪といった地域毎に設けられた、移動通信システムのＩＰサブネットであり、発呼元通信端末から最初に接続要求を受けるゲートウェイ装置は、例えば発呼先移動通信端末がホーム・ネットワークとするサブネットワークに設けられたゲートウェイ装置であり、ゲートウェイ識別子とは、例えばＩＰアドレスやＤＮＳの名前など、ＩＰネットワーク上でゲートウェイ装置を識別するための識別情報である。
【００３４】
この構成によれば、移動通信システムの移動通信端末に発呼する場合、最初に発呼先移動通信端末が在圏する確率が高いと考えられるホーム・ネットワークに接続要求を送りながらも、発呼先移動通信端末がホーム・ネットワークに在圏しない場合には、ホーム・ネットワークのゲートウェイ装置から発呼先移動通信端末が現時点で在圏するサブネットワークを知らされるため、在圏ゲートウェイ装置に改めて直接接続要求を送ることができ、冗長なルーティングが発生することを防ぐことができる。
【００３５】
【発明の実施の形態】
以下、添付図面を参照しながら本発明の一実施形態について説明する。図１は、本実施形態に係る移動通信システム全体の概略を示す模式図であり、図２は、本実施形態に係る呼接続確立処理の流れを示すシーケンス図である。
【００３６】
ここでは、移動通信システム１００に、地域Ｘ（例えば東京）を管轄するＩＰサブネット（以下、サブネットＸという）と、地域Ｙ（例えば大阪）を管轄するＩＰサブネット（以下、サブネットＹという）とが設けられているものとする。
【００３７】
ＩＰサブネット１０１は、ＩＰネットワークを接続するためのゲートウェイ（ＧＷ）装置１０２と、管理する移動機の現在位置を管理するＨＬＲ装置１０３と、該サブネットが管理しない移動機のルーティングを制御するＶＬＲ（Ｖｉｓｉｔｏｒ  Ｌｏｃａｔｉｏｎ  Ｒｅｓｉｓｔｅｒ）装置１０４と、パケットのルーティングを行うパケット／回線交換機１０５と、無線制御装置（Ｒａｄｉｏ  Ｎｅｔｗｏｒｋ  Ｃｏｎｔｒｏｌｌｅｒ；ＲＮＣ）及び無線基地局（Ｂａｓｅ  Ｓｔａｔｉｏｎ；ＢＴＳ）１０６とを有する。
【００３８】
ゲートウェイ装置１０２は、システム外から接続要求を受けると、自サブネットのＨＬＲに発呼先移動機の在圏の有無、及び在圏していなければ現在位置を問い合わせ、在圏していれば、上記接続要求に対して応答し、在圏していなければ、上記接続要求に対して応答せず、代わりに、該発呼先移動機が在圏するＩＰサブネットに設けられたゲートウェイ装置１０２のＩＰアドレスを発呼元に返す。
【００３９】
又、ここでは、ＩＰサブネットＸをホーム・ネットワークとする移動機Ａが、ＩＰサブネットＸからＩＰサブネットＹに移動した場合を考える。これに伴い、簡便のため、ＨＬＲ１０３はＩＰサブネットＸのみに、ＶＬＲ１０４はサブネットＹのみにそれぞれ表す。
【００４０】
次いで、上記のような構成を有する本実施形態に係る移動通信システムにおいて、システム外の端末Ｂから、ＩＰネットワークを経由して、移動機Ａに対して発呼があった場合の本システムの呼接続確立処理について、図２のシーケンス図を用いて説明する。
【００４１】
図２のシーケンス図の上側半分は、移動機ＡがサブネットＸに在圏している場合のシーケンスを示す。端末Ｂが発呼し（２０１）、発呼先である移動機Ａのホーム・ネットワークのゲートウェイ装置１０２（以下、デフォルトＧＷと称す）が該接続要求を受信する。
【００４２】
デフォルトＧＷは、自サブネットのＨＬＲ装置１０３に、該発呼先である移動機Ａのルーティング情報問い合わせを行う（２０２）。この問い合わせは、移動機Ａの在圏の有無を確認すると共に、在圏している場合のルーティングの設定を要求するものである。ここでは、移動機ＡはサブネットＸに在圏するため、ＨＬＲ装置１０３は、移動機Ａが在圏中である旨を含むルーティング応答をデフォルトＧＷに返す（２０３）。
【００４３】
該ルーティング応答を受け取ったデフォルトＧＷは、設定されたルートを用いて、移動機Ａにパケット又は回線交換着信を送る（２０４）。移動機ＡからデフォルトＧＷにパケット又は回線交換着信応答が返され（２０５）、デフォルトＧＷが端末Ｂに接続要求応答を返す（２０６）と、移動機Ａと端末Ｂとの接続が確立され、以後のデータ転送はデフォルトＧＷを介して行われる。
【００４４】
図２のシーケンス図の下側半分は、移動機ＡがサブネットＹに在圏している場合のシーケンスを示す。端末Ｂが発呼し（２０１）、接続要求を受けたデフォルトＧＷは、自サブネットのＨＬＲ装置１０３に、該発呼先である移動機Ａのルーティング情報問い合わせを行う（２０２）。ここでは、移動機ＡはサブネットＹに在圏するため、ＨＬＲ装置１０３は、移動機ＡがサブネットＹに在圏している旨を含むルーティング応答をデフォルトＧＷに返す（２０３）。
【００４５】
該ルーティング応答を受け取ったデフォルトＧＷは、端末Ｂからの接続要求に応答することなく、端末Ｂに対して接続切替通知を送信する（２０４）。この接続切替通知には、例えば、発呼先移動機Ａが現在在圏するサブネットＹのゲートウェイ装置（以下、在圏ＧＷと称す）のＩＰアドレスと、接続のためのプロトコルの指示とが含まれる。
【００４６】
該接続切替通知を受けた発呼元である端末Ｂは、在圏ＧＷに改めて接続要求を送る（２０５）。接続要求を一旦切る態様も採り得るが、ユーザの便宜を考慮すると、切らずに接続要求先を切り替える態様の方が好ましい。
【００４７】
接続要求を受けた在圏ＧＷは、自サブネットのＶＬＲ装置１０４に、該発呼先である移動機Ａのルーティング情報問い合わせを行う（２０６）。ここでは、移動機ＡはサブネットＹに在圏するため、ＶＬＲ装置１０４は、移動機Ａが在圏中である旨を含むルーティング応答を在圏ＧＷに返す（２０７）。
【００４８】
該ルーティング応答を受け取った在圏ＧＷは、設定されたルートを用いて、移動機Ａにパケット又は回線交換着信を送る（２０８）。移動機Ａから在圏ＧＷにパケット又は回線交換着信応答が返され（２０９）、在圏ＧＷが端末Ｂに接続要求応答を返す（２１０）と、移動機Ａと端末Ｂとの接続が確立され、以後のデータ転送は在圏ＧＷを介して行われる。
【００４９】
このように、本実施形態に係る移動通信システムにサブネット毎に設けられたゲートウェイ装置は、自サブネット内に在圏しない移動機への接続要求を受けた場合、該接続要求に応答することなく、該発呼先移動機が在圏するサブネットのゲートウェイ装置のＩＰアドレスを返す。接続要求を最初に受けるゲートウェイ装置は、発呼先移動機のホーム・ネットワークのゲートウェイであるため、自サブネットのＨＬＲ装置に問い合わせることによって、発呼先移動機の現在位置を知ることができ、上記ＩＰアドレス伝達も可能である。
【００５０】
よって、システム外の発呼元端末は、発呼先移動機のホーム・ネットワークのゲートウェイを経由することなく、発呼先移動機の現在位置に最も近いゲートウェイ装置に直接接続要求を送ることができ、冗長なルーティングを発生させることなく、所望移動機と呼接続を確立することができる。
【００５１】
したがって、本実施形態に係る移動通信システムによれば、ネットワーク・リソースの利用効率を向上させることができる。又、音声通話の場合、音質を向上させることができる。
【００５２】
なお、上記説明した本発明の一実施形態は、例示であり、本発明は上記態様に限定されるものではない。例えば、上記接続切替通知に含まれるＩＰアドレスは、在圏ＧＷを識別するためのゲートウェイ識別情報若しくはゲートウェイ識別子の一例であり、システム外の発呼元端末が発呼先移動機の現在位置に最も近いゲートウェイ装置へ接続要求を送ることを可能にする情報であればＩＰアドレスに限られない。例えば、ＤＮＳの名前を用いることも可能である。
【００５３】
又、実用段階において、接続要求を送った端末が、接続要求応答を受け取るまで、該端末のユーザに対して流すいわゆる「呼び出し音」を、デフォルトＧＷへの接続要求の場合と、在圏ＧＷへの場合とで異なる音色にすると、ユーザが現状を把握するのに役立ち、便宜であると考えられる。
【００５４】
【発明の効果】
以上、説明したように、本発明の請求項１に係る呼接続確立方法によれば、ネットワーク全体のリソース利用効率を向上させることができる。
【００５５】
又、本発明の請求項２及び３に係る移動通信システム、請求項４に係るゲートウェイ装置、及び請求項５に係る通信端末装置によれば、請求項１に係る呼接続確立方法を実現することができる。
【図面の簡単な説明】
【図１】本発明の一実施形態に係る移動通信システム全体の概略を示す模式である。
【図２】本発明の一実施形態に係る呼接続確立処理の流れを示すシーケンス図である。
【符号の説明】
１００  移動通信システム
１０１  ＩＰサブネット
１０２  ゲートウェイ装置
１０３  ＨＬＲ装置
１０４  ＶＬＲ装置
１０５  パケット／回線交換機
１０６  ＲＮＣ及びＢＴＳ
【図１】
0003655224.tif 000002
【図２】
0003655224.tif 000003